(57)【要約】【課題】プッシュスキャン機能により紙媒体等から読み取られた画像が第三者に盗み見され、情報が漏洩してしまうことを防ぐことができる画像読取システムを提供する。【解決手段】  プッシュスキャン準備指令を受け付けたＰＣは、ロック設定がなされているか否かを判定し、ロック設定がなされている場合には（Ｓ３１０：Ｙｅｓ）、スキャン画像の表示をロックする（Ｓ３２０）。そして、ＭＦＰからスキャン画像データの受信を開始したＰＣは、スキャン画像の表示のロック後、所定時間が経過した場合や、所定のパスワードの入力を受け付けた場合にロックを解除し、スキャン画像の表示を開始する。【選択図】図５
2010081379.tif 000002
【特許請求の範囲】
【請求項１】
ユーザから直接受け付けた指示により画像を読み取り、当該画像に基づく画像データを生成する画像読取装置と通信可能な情報処理装置であって、前記画像読取装置からの指示により、当該画像読取装置が生成した画像データに基づく画像を表示する前記情報処理装置としてコンピュータを機能させるためのプログラムであって、
前記プログラムは、
コンピュータが備える記憶手段に記憶されている情報に基づき、前記画像読取装置により生成された画像データに基づく画像の表示が禁止されているか否かを判定する第一の判定手順と、
前記画像読取装置から画像データを取得する取得手順と、
前記取得手順にて取得された画像データに基づく画像を表示する表示手順と、
前記第一の判定手順にて前記画像読取装置により生成された画像データに基づく画像の表示が禁止されていると判定された場合、前記取得手順にて取得された画像データに基づく画像の表示を禁止する第一の禁止手順と、
をコンピュータに実行させること、
を特徴とするプログラム。
【請求項２】
請求項１に記載のプログラムにおいて、
前記プログラムは、
所定の条件が成立したか否かを判定する第二の判定手順と、
前記第一の禁止手順において、前記取得手順にて取得された画像データに基づく画像の表示が禁止された場合に、前記第二の判定手順にて前記所定の条件が成立したと判定されると、画像データに基づく画像の表示の禁止を解除する禁止解除手順と、
をさらにコンピュータに実行させること、
を特徴とするプログラム。
【請求項３】
請求項１または請求項２に記載のプログラムにおいて、
前記第一の禁止手順は、前記第一の判定手順にて画像データに基づく画像の表示が禁止されていると判定された場合、コンピュータをログオフされた状態とすることにより、前記取得手順にて取得された画像データに基づく画像の表示を禁止する手順であること、
を特徴とするプログラム。
【請求項４】
請求項１から請求項３のいずれかに記載のプログラムにおいて、
前記取得手順は、ネットワークを介してコンピュータに接続されている前記画像読取装置、または、コンピュータにローカル接続されている前記画像読取装置とのうちのいずれかから画像データを取得する手順であり、
前記第一の判定手順は、
前記取得手順にてコンピュータにローカル接続されている前記画像読取装置から画像データが取得された場合には、前記画像読取装置により生成された画像データに基づく画像の表示が禁止されていないと判定し、
前記取得手順にてネットワークを介してコンピュータに接続されている前記画像読取装置から画像データが取得された場合には、前記記憶手段に記憶されている情報に基づき、前記画像読取装置により生成された画像データに基づく画像の表示が禁止されているか否かを判定する手順であること、
を特徴とするプログラム。
【請求項５】
請求項１から請求項４のいずれかに記載のプログラムにおいて、
前記プログラムは、
前記画像読取装置から取得した画像データに基づく画像の表示を禁止する旨の指示である禁止指示を、当該画像読取装置から受け付ける受付手順と、
前記受付手順において前記禁止指示を受け付けた場合、前記取得手順にて取得された画像データに基づく画像の表示を禁止する第二の禁止手順と、
をさらにコンピュータに実行させること、
を特徴とするプログラム。
【請求項６】
ユーザから直接受け付けた指示により画像を読み取り、当該画像に基づく画像データを生成する画像読取装置と通信可能であり、前記画像読取装置からの指示により、当該画像読取装置が生成した画像データに基づく画像を表示する情報処理装置であって、
前記情報処理装置は、
前記画像読取装置により生成された画像データに基づく画像の表示が禁止されているか否かを示す情報を記憶している記憶手段と、
前記記憶手段に記憶されている前記情報に基づき、前記画像読取装置により生成された画像データに基づく画像の表示が禁止されているか否かを判定する判定手段と、
前記画像読取装置から画像データを取得する取得手段と、
種々の情報を表示する表示手段と、
前記取得手段が取得した画像データに基づく画像を前記表示手段に表示させる制御手段と、
を備え、
前記制御手段は、前記判定手段により、前記画像読取装置により生成された画像データに基づく画像の表示が禁止されていると判定された場合、前記取得手段により取得された画像データに基づく画像の表示を禁止すること、
を特徴とする情報処理装置。
【発明の詳細な説明】
【技術分野】
【０００１】
本発明は、紙媒体等から読み取られた画像を表示するためのプログラム及び情報処理装置に関する。
【背景技術】
【０００２】
ＬＡＮに接続されたＰＣとＭＦＰ（多機能周辺装置）との間でスキャン画像データ等の授受を行うシステムが知られている。特許文献１には、ユーザがＭＦＰに対して直接スキャンを指示し、ＭＦＰにて生成されたスキャン画像データを、ＬＡＮ上のＰＣに送信するというプッシュスキャン機能について記載されている。
【特許文献１】特開２００５−１９２０２２号公報
【発明の開示】
【発明が解決しようとする課題】
【０００３】
ところで、プッシュスキャンを行う際には、ユーザは、スキャンの対象となる紙媒体等をＭＦＰにセットし、ＭＦＰに対してプッシュスキャンを開始する旨の操作を行う必要がある。このため、プッシュスキャンを行う際、ユーザは、スキャン画像データを受信するＰＣの付近にいないことが予測される。しかしながら、従来のプッシュスキャンでは、ＭＦＰからプッシュスキャン準備指令を受け付けたＰＣは、アプリケーションを起動し、ＭＦＰにて生成されるスキャン画像データの受信を待っていた。そして、ＰＣは、スキャン画像データを受信すると、ユーザが自装置の付近にいるか否かに関らず、上記アプリケーションによりスキャン画像をそのまま表示していた。このため、プッシュスキャン機能により紙媒体等の画像をスキャンする場合には、ディスプレイを覗き見るだけで、ＰＣを介してスキャン画像が第三者に盗み見され、情報が漏洩してしまうおそれがあった。
【０００４】
本願発明は上記課題を解決するためになされたものであり、プッシュスキャン機能により紙媒体等から読み取られた画像が第三者に盗み見され、情報が漏洩してしまうことを防ぐことができるプログラムを提供することを目的とする。
【課題を解決するための手段】
【０００５】
上記課題を解決するためになされた請求項１に記載のプログラムは、コンピュータを、ユーザから直接受け付けた指示により画像を読み取り、当該画像に基づく画像データを生成する画像読取装置と通信可能な情報処理装置であって、画像読取装置からの指示により、当該画像読取装置が生成した画像データに基づく画像を表示する情報処理装置として機能させるためのプログラムである。このプログラムは、コンピュータが備える記憶手段に記憶されている情報に基づき、画像読取装置により生成された画像データに基づく画像の表示が禁止されているか否かを判定する第一の判定手順と、画像読取装置から画像データを取得する取得手順とをコンピュータに実行させる。また、このプログラムは、取得手順にて取得された画像データに基づく画像を表示する表示手順と、第一の判定手順にて画像読取装置により生成された画像データに基づく画像の表示が禁止されていると判定された場合、取得手順にて取得された画像データに基づく画像の表示を禁止する第一の禁止手順とをコンピュータに実行させる。
【０００６】
このため、例えば、ユーザが、このプログラムが搭載されたコンピュータに対し予め画像読取装置にて読み取られた画像の表示を禁止する旨の設定をしておくことにより、画像読取装置がユーザから直接受け付けた指示により紙媒体等から読み取った画像、すなわち、プッシュスキャン機能により紙媒体等から読み取った画像が、上記コンピュータにて表示されてしまうことを防ぐことができる。したがって、このプログラムは、プッシュスキャン機能により紙媒体等から読み取られた画像が第三者に盗み見され、情報が漏洩してしまうことを防ぐことができる。
【０００７】
また、画像読取装置にて読み取られた画像の表示が禁止された後、次のようにして禁止が解除されても良い。
すなわち、請求項２に記載されているように、上記プログラムは、所定の条件が成立したか否かを判定する第二の判定手順と、第一の禁止手順において、取得手順にて取得された画像データに基づく画像の表示が禁止された場合に、第二の判定手順にて所定の条件が成立したと判定されると、画像データに基づく画像の表示の禁止を解除する禁止解除手順とをさらにコンピュータに実行させても良い。
【０００８】
尚、所定の条件とは、例えば、プッシュスキャン機能による画像の読み取りの開始後、所定の時間が経過したという条件であっても良い。このような構成を有することにより、例えば、ユーザが情報処理装置から離れた場所で画像読取装置による画像の読み取りのための作業を行っている場合、上記プログラムが搭載されたコンピュータは、画像の読み取りの開始後から、ユーザが情報処理装置の付近に戻るまでの間、読み取られた画像の表示を禁止することが可能となる。このため、上記プログラムは、紙媒体等から読み取られた画像が第三者に盗み見され、情報が漏洩してしまうことを防ぐことが可能となる。
【０００９】
また、所定の条件とは、例えば、ユーザから所定のパスワードの入力を受け付けるという条件であっても良い。このような構成を有することにより、所定のパスワードを知っている限られたユーザのみが、上記プログラムが搭載されたコンピュータを介して画像読取装置にて読み取られた画像を見ることができる。このため、上記プログラムは、紙媒体等から読み取られた画像が第三者に盗み見され、情報が漏洩してしまうことをより確実に防ぐことができる。
【００１０】
また、次のようにして画像読取装置が読み取った画像の表示が禁止されても良い。
すなわち、請求項３に記載されているように、第一の禁止手順は、第一の判定手順にて画像データに基づく画像の表示が禁止されていると判定された場合、コンピュータをログオフされた状態とすることにより、取得手順にて取得された画像データに基づく画像の表示を禁止する手順であっても良い。
【００１１】
尚、コンピュータをログオフされた状態とするとは、例えば、コンピュータを制御するためのＯＳであって、画像読取装置にて紙媒体等から読み取られた画像を表示するためのアプリケーションを動作させることが可能なＯＳを用いてコンピュータにログインしているユーザを、ログオフさせることであっても良い。
【００１２】
こうすることにより、このプログラムが搭載されたコンピュータは、プッシュスキャン機能により紙媒体等から読み取られた画像の表示を防ぐことができる。また、コンピュータをログオフされた状態とすることにより、第三者は、このコンピュータを見ただけでは、画像読取装置に対応するアプリケーションが動作しているか否かを判別できなくなる。つまり、コンピュータは、第三者に対し、画像読取装置にてプッシュスキャン機能による画像の読み取りが行われていることを秘匿することができる。したがって、請求項３に記載のプログラムが搭載されたコンピュータは、紙媒体等から読み取られた画像が第三者に盗み見されてしまうことをより確実に防ぐことができると共に、紙媒体等から読み取られた画像に基づく画像データの盗難の予防が可能となり、情報の漏洩をより確実に防ぐことができる。
【００１３】
また、例えば、コンピュータと画像読取装置とがＬＡＮ等のネットワークを介して接続されている場合には、コンピュータと画像読取装置とが互いに離れた場所に設置されている場合を想定することができる。一方、例えば、コンピュータと画像読取装置とがＵＳＢやＩＥＥＥ１３９４等といった規格に対応したケーブルにより直接ローカルに接続されている場合には、互いに隣接した場所に設置されていることが予測される。尚、画像処理装置と画像読取装置とが、例えば、ＵＳＢやＩＥＥＥ１３９４等といった規格に対応したケーブルや、シリアルケーブル等により直接接続されていることを、ローカル接続と記載する。コンピュータと画像読取装置とが互いに隣接した場所に設置されている場合には、ユーザは、コンピュータの付近にて画像読取装置による画像の読み取りのための作業を行うことが考えられる。
【００１４】
そこで、請求項４に記載のプログラムでは、取得手順は、ネットワークを介してコンピュータに接続されている画像読取装置、または、コンピュータにローカル接続されている画像読取装置とのうちのいずれかから画像データを取得する手順である。また、第一の判定手順は、取得手順にてコンピュータにローカル接続されている画像読取装置から画像データが取得された場合には、画像読取装置により生成された画像データに基づく画像の表示が禁止されていないと判定し、取得手順にてネットワークを介してコンピュータに接続されている画像読取装置から画像データが取得された場合には、記憶手段に記憶されている情報に基づき、画像読取装置により生成された画像データに基づく画像の表示が禁止されているか否かを判定する手順である。
【００１５】
こうすることにより、このプログラムが搭載されたコンピュータは、自装置にローカル接続されている画像読取装置から画像データを取得した場合には、画像の読み取りを指示したユーザが自装置の付近にいるとみなし、取得した画像データに基づく画像を表示することができる。また、このコンピュータは、ネットワークを介して接続されている画像読取装置から画像データを取得した場合には、この画像データに基づく画像の表示を禁止することができる。したがって、紙媒体等から読み取られた画像が第三者に盗み見され、情報が漏洩してしまうことを防ぎつつ、このプログラムが搭載されたコンピュータの使い勝手を向上させることができる。
【００１６】
また、画像読取装置からの指示に基づき、読み取られた画像の表示が禁止されても良い。
すなわち、請求項５に記載されているように、上記プログラムは、画像読取装置から取得した画像データに基づく画像の表示を禁止する旨の指示である禁止指示を、当該画像読取装置から受け付ける受付手順と、受付手順において禁止指示を受け付けた場合、取得手順にて取得された画像データに基づく画像の表示を禁止する第二の禁止手順とをさらにコンピュータに実行させても良い。
【００１７】
こうすることにより、ユーザは、画像読取装置にて読み取られた画像が、上記プログラムが搭載されたコンピュータにより表示されてしまうことを禁止する旨の設定を、画像読取装置に対して行うことが可能となる。このため、ユーザが、上記プログラムが搭載されたコンピュータに対し、画像読取装置にて読み取られた画像の表示を禁止する旨の設定をすることを忘れていた場合であっても、画像読取装置に対して設定を行うことにより、この画像の表示を禁止させることが可能となる。したがって、上記コンピュータの使い勝手を向上させることができる。
【００１８】
ところで、請求項１に記載の手順を実行可能な情報処理装置を構成してもよい。
すなわち、請求項６に記載されているように、情報処理装置は、ユーザから直接受け付けた指示により画像を読み取り、当該画像に基づく画像データを生成する画像読取装置と通信可能であり、画像読取装置からの指示により、当該画像読取装置が生成した画像データに基づく画像を表示しても良い。そして、情報処理装置は、画像読取装置により生成された画像データに基づく画像の表示が禁止されているか否かを示す情報を記憶している記憶手段と、記憶手段に記憶されている情報に基づき、画像読取装置により生成された画像データに基づく画像の表示が禁止されているか否かを判定する判定手段とを備えても良い。また、情報処理装置は、画像読取装置から画像データを取得する取得手段と、種々の情報を表示する表示手段と、取得手段が取得した画像データに基づく画像を表示手段に表示させる制御手段とを備えても良い。そして、制御手段は、判定手段により、画像読取装置により生成された画像データに基づく画像の表示が禁止されていると判定された場合、取得手段により取得された画像データに基づく画像の表示を禁止しても良い。
【００１９】
このような構成を有することにより、情報処理装置は、請求項１に記載のプログラムが搭載されたコンピュータと同様の効果を奏することができる。
【発明を実施するための最良の形態】
【００２０】
以下、本発明の実施形態について図面を用いて説明する。尚、本発明の実施の形態は、下記の実施形態に何ら限定されることはなく、本発明の技術的範囲に属する限り種々の形態を採りうる。
【００２１】
［構成の説明］
（１）画像読取システムについて
図１は、本実施形態の画像読取システム１の構成を示すブロック図である。画像読取システム１は、プリンタや、スキャナや、コピー機や、ＦＡＸ等の機能を有するＭＦＰ１０と、パーソナルコンピュータであるＰＣ２０ａ，ＰＣ２０ｂ，ＰＣ２０ｃとを有している。尚、ＭＦＰ１０とＰＣ２０ａとは、ＵＳＢ４０により接続されており、ＭＦＰ１０と、ＰＣ２０ｂ及びＰＣ２０ｃは、ＬＡＮ３０により接続されている。尚、本実施形態では、画像読取システム１は１台のＭＦＰを有しているが、２台以上のＭＦＰを有していても良い。また、画像読取システム１には３台のＰＣを有しているが、画像読取システム１は、２台以下のＰＣを有していても良いし、４台以上のＰＣを有していても良い。また、以後、ＰＣ２０ａ，ＰＣ２０ｂ，ＰＣ２０ｃをまとめてＰＣ２０とも記載する。
【００２２】
（２）ＭＦＰについて
次に、画像読取システム１を構成するＭＦＰ１０の詳細な構成について、図２の（ａ）に記載のブロック図を用いて説明する。ＭＦＰ１０は、制御部１１と、液晶表示パネル１２と、入力部１３と、スキャンエンジン１４と、ＵＳＢ  Ｉ／Ｆ１５と、記憶部１６と、ネットワークＩ／Ｆ１７と、印刷エンジン１８とから構成される。これらの構成要素は、バスを介して接続されている。
【００２３】
制御部１１は、ＣＰＵ，ＲＯＭ，ＲＡＭ，Ｉ／Ｏ及びこれらの構成を接続するバスラインなどからなる周知のマイクロコンピュータを中心に構成されており、ＲＯＭ等に記憶されたプログラムに基づいて上記各部を統括的に制御して各種処理を実行する。
【００２４】
液晶表示パネル１２は、液晶ディスプレイ等を備え、ユーザに対して視覚的に情報を伝達する部位である。
入力部１３は、メカニカルスイッチやタッチパネル等を備え、ユーザより操作入力を受け付ける部位である。
【００２５】
スキャンエンジン１４は、制御部１１からの指令に基づき、所定の原稿読取位置にセットされた原稿の画像を読み取り、この画像を表すスキャン画像データを生成する部位である。
【００２６】
ＵＳＢ  Ｉ／Ｆ１５は、ＵＳＢ対応機器（本実施形態ではＰＣ２０ａ）とＵＳＢ規格に基づいた通信を実現するための通信処理を行う部位である。
記憶部１６は、ハードディスクやフラッシュメモリ等の不揮発性の記憶媒体から構成され、ＭＦＰ１０が各種機能を実現する際に利用するデータの記憶領域として用いられる部位である。
【００２７】
ネットワークＩ／Ｆ１７は、ＬＡＮ３０上の機器（本実施形態ではＰＣ２０ｂとＰＣ２０ｃ）とEthernet（登録商標）規格に基づいた通信を行う部位である。
印刷エンジン１８は、制御部１１からの指令に基づき、用紙等の印刷媒体に画像を印刷する部位である。なお、印刷エンジン１８により印刷される画像としては、例えば、スキャンエンジン１４により読み取られた画像、ファクシミリ機能により受信した画像、ＰＣ２０等の外部装置から受信した印刷用の画像などが挙げられる。
【００２８】
（３）ＰＣについて
次に、画像読取システム１を構成するＰＣ２０の詳細な構成について、図２の（ｂ）に記載のブロック図を用いて説明する。ＰＣ２０は、制御部２１と、ディスプレイ２２と、キーボード２３と、マウス２４と、ネットワークＩ／Ｆ２５と、記憶部２６と、ＵＳＢ  Ｉ／Ｆ２７とから構成される。これらの構成要素は、バスを介して接続されている。
【００２９】
制御部２１は、ＣＰＵ，ＲＯＭ，ＲＡＭ，Ｉ／Ｏ及びこれらの構成を接続するバスラインなどからなる周知のマイクロコンピュータを中心に構成されており、ＲＯＭに記憶されたプログラムや、記憶部２６からＲＡＭにロードされたＯＳや各種アプリケーション等に基づいて上記各部を統括的に制御して各種処理を実行する。
【００３０】
ディスプレイ２２は、液晶ディスプレイや有機ＥＬディスプレイ等を備え、ユーザに対して視覚的に情報を伝達する部位である。
キーボード２３は、周知のキーボードであり、ユーザからの操作入力を受け付ける部位である。
【００３１】
マウス２４は、周知のマウスであり、ユーザからの操作入力を受け付ける部位である。
ネットワークＩ／Ｆ２５は、他のＬＡＮ３０上の機器（本実施形態ではＭＦＰ１０）とEthernet（登録商標）規格に基づいた通信を行う部位である。
【００３２】
記憶部２６は、ハードディスクやフラッシュメモリ等の不揮発性の記憶媒体を備え、各種のプログラムやデータ等を記憶している部位である。記憶部２６には、プッシュスキャンを行うためのアプリケーションが記憶されている。
【００３３】
ＵＳＢ  Ｉ／Ｆ２７は、ＵＳＢ対応機器（本実施形態ではＭＦＰ１０）とＵＳＢ規格に基づいた通信を実現するための通信処理を行う部位である。
［動作の説明］
次に、ＭＦＰ１０にてスキャンを行い、生成したスキャン画像データをいずれかのＰＣ２０に送信するプッシュスキャンを行う際の画像読取システム１の動作について説明する。尚、プッシュスキャンが開始される際は、ＰＣ２０は、ＯＳによりユーザがログインした状態となっている。また、ＰＣ２０には、プッシュスキャンを行うためのアプリケーション（以後、プッシュスキャンアプリケーションとも記載）がインストールされており、ＰＣ２０は、このプッシュスキャンアプリケーションを実行することによりプッシュスキャンのための処理を行う。
【００３４】
（１）プッシュスキャン実行時の処理の概要について
（１−１）ＬＡＮを介してのプッシュスキャンについて
まず、ＬＡＮ３０を経由してのプッシュスキャン、すなわち、ＭＦＰ１０にて生成されたスキャン画像データを、ＭＦＰ１０とＬＡＮ３０を介して接続されているＰＣ２０ｂまたはＰＣ２０ｃに送信するプッシュスキャンについて説明する。
【００３５】
（ａ）ユーザ操作によるスキャン画像表示禁止解除
プッシュスキャン実行時に、ＭＦＰ１０から後述するロック指令を受け付けたＰＣ２０ｂ等は、スキャン画像の表示を一旦禁止する。ここでは、スキャン画像の表示を禁止したＰＣ２０ｂ等が、ユーザから受け付けた操作に基づきスキャン画像の表示の禁止を解除する場合の処理について、図３に記載のシーケンス図を用いて説明する。
【００３６】
ユーザがＭＦＰ１０に原稿をセットし、ＭＦＰ１０が備える入力部１３を介してＰＣ２０ｂまたはＰＣ２０ｃのうちのいずれかを選択してプッシュスキャンの開始を指示すると（Ｓ１０５）、選択されたＰＣ２０をスキャン画像データの送信先として、ＬＡＮ３０を経由したプッシュスキャンが開始される。
【００３７】
プッシュスキャン開始の指示を受け付けると、ＭＦＰ１０は、スキャンを開始すると共に、選択されたＰＣ２０に対し、ＬＡＮ３０を介して、プッシュスキャンのための準備を指令するプッシュスキャン準備指令を行う。また、プッシュスキャン開始の指示と共にスキャン画像表示禁止の指示をユーザから受け付けた場合には、ＭＦＰ１０は、プッシュスキャン準備指令と共に、プッシュスキャンによるスキャン画像の表示を禁止するロック指令を行う（Ｓ１１０）。
【００３８】
ＭＦＰ１０からプッシュスキャン準備指令とロック指令とを受け付けたＰＣ２０ｂまたはＰＣ２０ｃは、プッシュスキャンアプリケーションを起動し、さらに、ロック指令に従いスキャン画像の表示をロックする（Ｓ１１５）。尚、プッシュスキャンアプリケーションは、スキャン画像の表示を禁止する旨の設定（以後、ロック設定とも記載）を、ユーザから予め受け付けている場合には、ロック指令の有無に関らずスキャン画像の表示をロックする。また、スキャン画像のロックを行う際には、ＰＣ２０ｂ等は、例えば、プッシュスキャンアプリケーションを起動させたままの状態で、起動中のＯＳをログオフ状態としても良いし、プッシュスキャンアプリケーションによりスキャン画像の表示を禁止させても良い。そして、ＰＣ２０ｂ等は、スキャン画像のロックに成功すると、ＭＦＰ１０に対しロック成功通知を行う（Ｓ１２０）。
【００３９】
スキャンが終了し、なおかつ、ＰＣ２０ｂまたはＰＣ２０ｃからロック成功通知を受け付けた場合には、ＭＦＰ１０は、ＬＡＮ３０を介してＰＣ２０ｂ等に対するスキャン画像データの送信を開始する（Ｓ１２５，Ｓ１３０）。
【００４０】
ＰＣ２０ｂ等は、スキャン画像データの受信を開始後、ユーザからロックを解除する旨の指示を受け付けると（Ｓ１３５）、スキャン画像の表示のロックを解除する（Ｓ１４０）。そして、ロックが解除されると、プッシュスキャンアプリケーションは、受信したスキャン画像データに基づき生成されたスキャン画像をディスプレイ２２に表示する。尚、スキャン画像の表示のロックのためにＯＳをログオフ状態とした場合であれば、ＰＣ２０ｂ等は、例えば、プッシュスキャン開始時にログインしていたユーザのログインを再度受け付けることにより、スキャン画像のロックを解除しても良い。また、プッシュスキャンアプリケーションにスキャン画像の表示をロックさせた場合であれば、ＰＣ２０ｂ等は、例えば、プッシュスキャンアプリケーションに対する所定のパスワードの入力を受け付けることにより、スキャン画像のロックを解除しても良い。
【００４１】
（ｂ）タイムアウトによるスキャン画像表示禁止解除
次に、ＭＦＰ１０からロック指令を受け付けることによりスキャン画像の表示を禁止したＰＣ２０ｂ等が、スキャン画像の表示の禁止後所定の時間が経過した際にスキャン画像の表示の禁止を解除する場合の処理について、図４に記載のシーケンス図を用いて説明する。
【００４２】
図４に記載のシーケンス図におけるＳ２０５，Ｓ２１０では、図３に記載のシーケンス図におけるＳ１０５，Ｓ１１０と、それぞれ同様の処理が行われる。
ＭＦＰ１０からプッシュスキャン準備指令とロック指令とを受け付けたＰＣ２０ｂまたはＰＣ２０ｃは、プッシュスキャンアプリケーションを起動し、さらに、ロック指令に従いスキャン画像の表示をロックする（Ｓ２１５）。尚、プッシュスキャンアプリケーションは、ロック設定がされている場合には、ロック指令の有無に関らずスキャン画像の表示をロックする。また、スキャン画像のロックを行う際には、ＰＣ２０ｂ等は、プッシュスキャンアプリケーションによりスキャン画像の表示を禁止させても良い。そして、ＰＣ２０ｂ等は、スキャン画像のロックに成功すると、ＭＦＰ１０に対しロック成功通知を行う（Ｓ２２０）。
【００４３】
スキャンが終了し、なおかつ、ＰＣ２０ｂまたはＰＣ２０ｃからロック成功通知を受け付けた場合には、ＭＦＰ１０は、ＬＡＮ３０を介してＰＣ２０ｂ等に対するスキャン画像データの送信を開始する（Ｓ２２５，Ｓ２３０）。
【００４４】
ＰＣ２０ｂ等は、スキャン画像の表示のロック後、所定の時間が経過すると、スキャン画像の表示のロックを解除する（Ｓ２３５）。そして、ロックが解除されると、プッシュスキャンアプリケーションは、受信したスキャン画像データに基づき生成されたスキャン画像をディスプレイ２２に表示する。
【００４５】
（１−２）ＵＳＢを介してのプッシュスキャンについて
次に、ＵＳＢ４０を経由してのプッシュスキャン、すなわち、ＭＦＰ１０にて生成されたスキャン画像データを、ＭＦＰ１０とＵＳＢ４０を介して接続されているＰＣ２０ａに送信するプッシュスキャンについて説明する。
【００４６】
ユーザがＭＦＰ１０に原稿をセットし、ＭＦＰ１０が備える入力部１３を介してＰＣ２０ａを選択してプッシュスキャンの開始を指示すると、ＰＣ２０ａをスキャン画像データの送信先として、ＵＳＢ４０を経由したプッシュスキャンが開始される。
【００４７】
プッシュスキャン開始の指示を受け付けると、ＭＦＰ１０は、スキャンを開始すると共に、ＰＣ２０ａに対しＵＳＢ４０を介してプッシュスキャンのための準備を指令するプッシュスキャン準備指令を行う。そして、ＭＦＰ１０が、スキャン画像データを生成し、生成したスキャン画像データのＰＣ２０ａへの送信を開始する。
【００４８】
ＭＦＰ１０からプッシュスキャン準備指令を受け付けたＰＣ２０ａは、プッシュスキャンアプリケーションを起動する。そして、ＭＦＰ１０からスキャン画像データの受信を開始すると、受信したスキャン画像データに基づきスキャン画像を生成し、ディスプレイ２２に表示する。
【００４９】
（２）プッシュスキャン実行時にＰＣにて行われる処理について
次に、図５，図６に記載されているフローチャートを用いて、プッシュスキャン実行時にＰＣ２０にて行われる処理についてより詳しく説明する。図５，図６の記載のフローチャートが示す処理は、ＰＣ２０の起動時に開始される処理である。また、この処理は、ＰＣ２０を停止させる旨の操作が行われた場合に終了する。
【００５０】
Ｓ３０５では、ＰＣ２０の制御部２１は、ＭＦＰ１０から、ＬＡＮ３０を介してプッシュスキャン準備指令を受け付けたか否かを判定する。プッシュスキャン準備指令を受け付けていない場合には（Ｓ３０５：Ｎｏ）、制御部２１は、図６におけるＳ４４５に処理を移行する。また、プッシュスキャン準備指令を受け付けた場合には（Ｓ３０５：Ｙｅｓ）、制御部２１は、プッシュスキャンアプリケーションを起動し、Ｓ３１０に処理を移行する。尚、制御部２１は、プッシュスキャンアプリケーションを実行することにより、ＬＡＮ３０を介してのプッシュスキャンに関する処理を実行する。
【００５１】
Ｓ３１０では、制御部２１は、記憶部２６に記憶されている情報に基づき、ロック設定がされているか否かを判定する。尚、ユーザは、プッシュスキャンの開始前に、プッシュスキャンアプリケーションを用いて、プッシュスキャンによりＭＦＰ１０から送信されるスキャン画像データに基づくスキャン画像の表示を禁止するか否かの設定であるロック設定を示す情報を記憶部２６に記憶させることができる。そして、ロック設定がされている場合には（Ｓ３１０：Ｙｅｓ）、制御部２１は、Ｓ３２０に処理を移行し、ロック設定がされていない場合には（Ｓ３１０：Ｎｏ）、Ｓ３１５に処理を移行する。
【００５２】
Ｓ３１５では、制御部２１は、ＭＦＰ１０からプッシュスキャン準備指令と共にロック指令を受け付けたか否かを判定する。ロック指令を受け付けた場合には（Ｓ３１５：Ｙｅｓ）、制御部２１は、Ｓ３２０に処理を移行する。また、ロック指令を受け付けていない場合には（Ｓ３１５：Ｎｏ）、Ｓ３４０に処理を移行する
Ｓ３２０では、制御部２１は、スキャン画像の表示をロックする。具体的には、制御部２１は、プッシュスキャンアプリケーションを起動させたままの状態で、起動中のＯＳをログオフ状態としても良い。また、制御部２１は、プッシュスキャンアプリケーションに対しスキャン画像全体の表示を禁止させても良いし、スキャン画像の全体像を把握することが困難となる程度に、スキャン画像の大部分または一部分の表示を禁止させても良い。そして、ロックに成功した場合（Ｓ３２５：Ｙｅｓ）、制御部２１は、ＬＡＮ３０を介してＭＦＰ１０に対しロック成功通知を行い（Ｓ３３０）、Ｓ３４５に処理を移行する。また、ロックに失敗した場合（Ｓ３２５：Ｎｏ）、制御部２１は、ＬＡＮ３０を介してＭＦＰ１０に対しロック失敗通知を行い（Ｓ３３５）、Ｓ３４５に処理を移行する。
【００５３】
ＭＦＰ１０からロック指令を受け付けていない場合に移行するＳ３４０では、制御部２１は、ＭＦＰ１０に対し、ＬＡＮ３０を介して、スキャン画像データの送信を開始する旨の指令を通知し、Ｓ３４５に処理を移行する。
【００５４】
Ｓ３４５では、制御部２１は、ＭＦＰ１０からＬＡＮ３０を介してスキャン画像データの受信を開始し、図６におけるＳ４０５に処理を移行する。
続いて、図６に記載のフローチャートを用いて説明を行う。
【００５５】
Ｓ４０５では、制御部２１は、既に受信したスキャン画像データに基づきスキャン画像を生成する。尚、ＭＦＰ１０は、ＰＣ２０に対し暗号化された状態のスキャン画像データを送信する場合があるが、このような場合には、制御部２１は、暗号化された状態のスキャン画像データに基づき画像を生成し、本来のスキャン画像とは異なる画像（例えば、スクランブルされた状態のスキャン画像）をスキャン画像として生成する。そして、制御部２１は、スキャン画像の表示がロックされているか否かを判定する（Ｓ４１０）。そして、スキャン画像の表示がロックされていないと判定した場合には（Ｓ４１０：Ｎｏ）、制御部２１は、プッシュスキャンアプリケーションにより生成したスキャン画像をディスプレイ２２に表示し（Ｓ４１５）、Ｓ４４０に処理を移行する。また、スキャン画像の表示がロックされていると判定した場合には（Ｓ４１０：Ｙｅｓ）、制御部２１は、Ｓ４２０に処理を移行する。
【００５６】
Ｓ４２０では、スキャン画像の表示のロックを解除する条件として、プッシュスキャンアプリケーションがロックを行った後の経過時間に基づく条件が設定されているか否かにより処理を分岐する。経過時間に基づく条件が設定されている場合（Ｓ４２０：Ｙｅｓ）、制御部２１は、Ｓ４２５に処理を移行し、経過時間に基づく条件が設定されていない場合（Ｓ４２０：Ｎｏ）、Ｓ４３０に処理を移行する。
【００５７】
Ｓ４２５では、制御部２１は、プッシュスキャンアプリケーションによりスキャン画像の表示のロックを行った後、所定の時間が経過したか否かを判定する。スキャン画像の表示のロック後、所定の時間が経過したと判定した場合（Ｓ４２５：Ｙｅｓ）、制御部２１は、Ｓ４３５に処理を移行する。また、プッシュスキャンアプリケーションによるスキャン画像の表示のロック後、所定の時間が経過していないと判定した場合（Ｓ４２５：Ｎｏ）、制御部２１は、Ｓ４３０に処理を移行する。
【００５８】
Ｓ４３０では、制御部２１は、ユーザからロック解除指示を受け付けたか否かを判定する。具体的には、例えば、プッシュスキャンアプリケーションによりスキャン画像の表示を禁止させた場合であれば、制御部２１は、ユーザからキーボード２３を介して所定のパスワードの入力を受け付けた場合に、ユーザからロック解除指示を受け付けたとみなしても良い。また、例えば、ＯＳをログオフ状態とすることによりスキャン画像の表示をロックした場合であれば、制御部２１は、プッシュスキャン開始時にログオンしていたユーザが再度ログオンした場合に、ロック解除指示を受け付けたとみなしても良い。ユーザからロック解除指示を受け付けたと判定した場合（Ｓ４３０：Ｙｅｓ）、制御部２１は、Ｓ４３５に処理を移行する。また、ユーザからロック解除指示を受け付けていないと判定した場合（Ｓ４３０：Ｎｏ）、制御部２１は、Ｓ４０５に処理を移行する。
【００５９】
Ｓ４３５では、制御部２１は、スキャン画像の表示のロックを解除し、Ｓ４４０に処理を移行する。
Ｓ４４０では、制御部２１は、ＭＦＰ１０からのスキャン画像データの受信が終了したか否かを判定する。スキャン画像データの受信が終了していないと判定した場合（Ｓ４４０：Ｎｏ）、制御部２１は、Ｓ４０５に処理を移行する。また、スキャン画像データの受信が終了したと判定した場合には（Ｓ４４０：Ｙｅｓ）、制御部２１は、図５におけるＳ３０５に処理を移行する。
【００６０】
Ｓ４４５では、制御部２１は、ＭＦＰ１０から、ＵＳＢ４０を介してプッシュスキャン準備指令を受け付けたか否かを判定する。プッシュスキャン準備指令を受け付けていない場合には（Ｓ４４５：Ｎｏ）、制御部２１は、Ｓ４６５に処理を移行する。また、プッシュスキャン準備指令を受け付けた場合には（Ｓ４４５：Ｙｅｓ）、制御部２１は、プッシュスキャンアプリケーションを起動し、Ｓ４５０に処理を移行する。尚、制御部２１は、プッシュスキャンアプリケーションを実行することにより、ＵＳＢ４０を介してのプッシュスキャンに関する処理を実行する。
【００６１】
Ｓ４５０では、制御部２１は、ＭＦＰ１０からＵＳＢ４０を介してスキャン画像データの受信を開始し、Ｓ４５５に処理を移行する。
Ｓ４５５では、制御部２１は、既に受信したスキャン画像データに基づきスキャン画像を生成し、プッシュスキャンアプリケーションにより生成したスキャン画像をディスプレイ２２に表示し、Ｓ４６０に処理を移行する。
【００６２】
Ｓ４６０では、制御部２１は、ＭＦＰ１０からのスキャン画像データの受信が終了したか否かを判定する。スキャン画像データの受信が終了していないと判定した場合には（Ｓ４６０：Ｎｏ）、制御部２１は、Ｓ４５５に処理を移行する。また、スキャン画像データの受信が終了したと判定した場合には（Ｓ４６０：Ｙｅｓ）、制御部２１は、図５におけるＳ３０５に処理を移行する。
【００６３】
ＵＳＢ４０を介してプッシュスキャン準備指令を受け付けていない場合に移行するＳ４６５では、制御部２１は、プッシュスキャンに関する処理以外の他の処理を実行し、これらの処理が終了すると、再度、図５におけるＳ３０５に処理を移行する。
【００６４】
（３）プッシュスキャン時にＭＦＰにて行われる処理について
次に、図７に記載されているフローチャートを用いて、プッシュスキャン実行時にＭＦＰ１０にて行われる処理についてより詳しく説明する。図７の記載のフローチャートが示す処理は、ＭＦＰ１０の起動時に開始される処理である。また、この処理は、入力部１３に対してＭＦＰ１０を停止させる旨の操作が行われた場合に終了する。
【００６５】
Ｓ５０５では、ＭＦＰ１０の制御部１１は、ＬＡＮ３０を介して接続されているＰＣ２０ｂまたはＰＣ２０ｃをスキャン画像データの送信先とするプッシュスキャンの開始指示を、入力部１３を介してユーザから受け付けたか否かを判定する。上記プッシュスキャンの開始指示を受け付けた場合には（Ｓ５０５：Ｙｅｓ）、制御部１１は、スキャンエンジン１４に対してスキャンを開始させ、Ｓ５１０に処理を移行する。また、上記プッシュスキャンの開始指示を受け付けていない場合には（Ｓ５０５：Ｎｏ）、制御部１１は、Ｓ５３０に処理を移行する。
【００６６】
Ｓ５１０では、制御部１１は、ＰＣ２０ｂまたはＰＣ２０ｃに対し、ＬＡＮ３０を介してプッシュスキャン準備指令とロック指令とを行い、Ｓ５１５に処理を移行する。尚、ＭＦＰ１０は、ユーザからプッシュスキャンの開始指示と共に、ロック指令を行う旨の指示を受け付けても良い。そして、制御部１１は、プッシュスキャンの開始指示と共にロック指令を行う旨の指示を受け付けた場合に限り、ロック指令を行っても良い。ここで、制御部１１がロック指令を行わなかった場合には、プッシュスキャン実行時にＰＣにて行われる処理のＳ３１５にて否定判定がなされ、ロック指令を行った場合には、このＳ３１５にて肯定判定がなされる。
【００６７】
Ｓ５１５では、制御部１１は、プッシュスキャン準備指令等を行ったＰＣにて、スキャン画像の表示のロックが成功したか否かを判定する。具体的には、上記ＰＣからロック成功の通知を受け取った場合（Ｓ５１５：Ｙｅｓ）、制御部１１は、スキャン画像の表示のロックが成功したと判定し、Ｓ５２０に処理を移行する。また、上記ＰＣからロック失敗通知や、スキャン画像データの送信開始通知を受け取った場合や、上記ＰＣから通知を受け取らなかった場合には、スキャン画像の表示のロックが成功しなかったと判定し、制御部１１は、Ｓ５２５に処理を移行する。
【００６８】
スキャン画像の表示のロックが成功した場合に移行するＳ５２０では、制御部１１は、スキャンエンジン１４により生成されたスキャン画像データを上記ＰＣに対して送信し、送信が終了すると、Ｓ５０５に処理を移行する。
【００６９】
一方、スキャン画像の表示のロックが成功しなかった場合に移行するＳ５２５では、制御部１１は、スキャンエンジン１４により生成されたスキャン画像データを暗号化して上記ＰＣに対して送信する。送信が終了すると、制御部１１は、Ｓ５０５に処理を移行する。
【００７０】
ＬＡＮ３０を経由したプッシュスキャンの開始指示を受け付けていない場合に移行するＳ５３０では、制御部１１は、ＵＳＢ４０を介して接続されているＰＣ２０ａをスキャン画像データの送信先とするプッシュスキャンの開始指示を、入力部１３を介してユーザから受け付けたか否かを判定する。上記プッシュスキャンの開始指示を受け付けた場合には（Ｓ５３０：Ｙｅｓ）、制御部１１は、スキャンエンジン１４に対してスキャンを開始させ、Ｓ５３５に処理を移行する。上記プッシュスキャンの開始指示を受け付けていない場合には（Ｓ５３０：Ｎｏ）、制御部１１は、Ｓ５４５に処理を移行する。
【００７１】
Ｓ５３５では、制御部１１は、ＰＣ２０ａに対しＵＳＢ４０を介してプッシュスキャン準備指令を行い、スキャンエンジン１４により生成されたスキャン画像データをＰＣ２０ａに対して送信する（Ｓ５４０）。そして、送信が終了すると、制御部１１は、再度、Ｓ５０５に処理を移行する。
【００７２】
ＵＳＢ４０を経由したプッシュスキャンの開始指示を受け付けていない場合に移行するＳ５４５では、制御部１１は、プッシュスキャンに関する処理以外の他の処理を行い、これらの処理が終了すると、再度、Ｓ５０５に処理を移行する。
【００７３】
［効果］
本実施形態におけるＰＣ２０にインストールされているプッシュスキャンアプリケーションにより、ユーザは、プッシュスキャン実行時に生成されるスキャン画像のロック設定を行うことができる。そして、ロック設定がなされた状態でＬＡＮ３０を経由してのプッシュスキャンが開始されると、ＰＣ２０ｂまたはＰＣ２０ｃは、所定の条件が成立するまでスキャン画像の表示を禁止する（Ｓ３２０）。したがって、ロック設定がなされている場合には、ＬＡＮ３０を経由してプッシュスキャンを行う際、ＰＣ２０ｂ等の付近にユーザがいるか否かに関らず、スキャンされた画像がＰＣ２０ｂ等にてそのまま表示されてしまうことを防ぐことができる。このため、プッシュスキャンにより紙媒体等から読み取られたスキャン画像が第三者に盗み見され、情報が漏洩してしまうことを防ぐことができる。
【００７４】
また、ＰＣ２０ｂ等は、ＬＡＮ３０を経由してプッシュスキャンを行う際にＭＦＰ１０からロック指令を受け付けた際には、所定の条件が成立するまで、スキャン画像の表示を禁止する（Ｓ３２０）。したがって、ユーザは、プッシュスキャンを行う際に、ＭＦＰ１０からＰＣ２０に対してスキャン画像のロックを指示することができ、ＰＣ２０ｂ等においてロック設定がなされていない場合であっても、スキャン画像の表示を禁止することができる。このため、スキャン画像が第三者に盗み見され、情報が漏洩してしまうことをより確実に防ぐことができる。
【００７５】
また、本実施形態には、スキャン画像の表示のロックを行うための処理の一例として、起動中のＯＳをログオフ状態とする等してスキャン画像の表示を禁止するという処理が記載されている。こうすることにより、ＰＣ２０ｂ等は、第三者に対しプッシュスキャンが行われていることを秘匿することができる。したがって、ＰＣ２０ｂ等は、スキャン画像が第三者に盗み見されてしまうことをより確実に防ぐことができると共に、スキャン画像データの盗難の予防が可能となり、スキャン画像の漏洩をより確実に防ぐことができる。
【００７６】
また、ＰＣ２０ｂ等は、スキャン画像の表示のロック後、所定時間が経過した場合に、ロックを解除する（Ｓ４２５）。したがって、ユーザがＰＣ２０ｂ等から離れた場所でプッシュスキャンのための作業を行っている場合、ＰＣ２０ｂ等は、プッシュスキャンの開始後から、ユーザがＰＣ２０ｂ等の付近に戻るまでの間、スキャン画像の表示を禁止することが可能となる。このため、スキャン画像が第三者に盗み見され、情報が漏洩してしまうことを防ぐことが可能となる。
【００７７】
また、ＰＣ２０ｂ等は、所定のパスワードの入力を受け付けた場合にロックを解除する。また、ログオフによりスキャン画像の表示をロックした場合であれば、プッシュスキャン開始時にログオンしていたユーザが再度ログオンした場合にロックを解除する。したがって、所定のパスワードを知っている限られたユーザや、プッシュスキャン開始時にログオンしていたユーザのみがロックを解除することができる。このため、スキャン画像が第三者に盗み見され、情報が漏洩してしまうことを確実に防ぐことが可能となる。
【００７８】
また、例えば、ＭＦＰ１０とＰＣ２０とがＬＡＮ等を介して接続されている場合には、これらの装置は互いに離れた場所に設置されている場合を想定することができる。一方、例えば、ＭＦＰ１０とＰＣ２０とがＵＳＢ等により直接接続されている場合には、これらの装置は互いに隣接した場所に設置されていることが予測される。ＭＦＰ１０とＰＣ２０とが互いに隣接した場所に設置されている場合には、ユーザは、ＰＣ２０の付近にてプッシュスキャンのための作業を行うことが考えられる。
【００７９】
そこで、ＵＳＢ４０を経由してのプッシュスキャンを行うＰＣ２０ａは、ロック設定やロック指令の有無に関らず、スキャン画像をそのまま表示する。
上述したように、ＰＣ２０は、ＬＡＮ３０を経由してプッシュスキャンを行う場合には、ユーザが自装置の付近におらず、ディスプレイを覗き見られる可能性の高いとみなし、スキャン画像の表示を禁止する。一方、ＵＳＢ４０を経由してプッシュスキャンを行う場合には、ＰＣ２０は、プッシュスキャンを指示したユーザが自装置の付近にいるとみなし、スキャン画像を表示するのである。このため、スキャン画像が第三者に盗み見され情報が漏洩してしまうことを防ぎつつ、使い勝手を向上させることができる。
【００８０】
［他の実施形態］
（１）本実施形態において、ＰＣ２０ｂまたはＰＣ２０ｃは、ＬＡＮ３０を介してＭＦＰ１０から暗号化された状態のスキャン画像データを受信すると、暗号化された状態のスキャン画像データに基づき本来のスキャン画像とは異なる画像を生成してディスプレイ２２に表示する。しかし、ＰＣ２０ｂ等は、暗号化された状態のスキャン画像データを受信した際には、上記画像に替えて、黒画等といった特定の画像をディスプレイ２２に表示しても良い。このような画像を表示した場合であっても、同様の効果を得ることができる。
【００８１】
（２）また、ＰＣ２０ｂ等がＭＦＰ１０から暗号化されたスキャン画像データを受信し、スキャン画像とは異なる画像を表示している場合において、ＰＣ２０ｂ等は、例えば、ユーザからキーボード２３を介して所定のパスワードの入力を受け付けた場合に、暗号化されたスキャン画像データをデコードしても良い。そして、ＰＣ２０ｂ等は、本来のスキャン画像をディスプレイ２２に表示しても良い。こうすることにより、所定のパスワードを知っているユーザのみがスキャン画像を表示させることが可能となり、スキャン画像が第三者に盗み見されてしまうことを防ぐことができる。
【００８２】
（３）本実施形態では、ＭＦＰ１０とＰＣ２０ａとはＵＳＢにより接続されているが、言うまでもないことではあるが、これらの装置は、例えば、ＩＥＥＥ１３９４等といった、他の規格のバスによりローカル接続されていても良い。このような場合であっても、同様の効果を得ることができる。
【００８３】
（４）本実施形態では、ＭＦＰ１０（多機能周辺装置）によるプッシュスキャンについて説明したが、例えば、ＭＦＰに替えてスキャンのみを実行可能なスキャナ装置が用いられる場合であっても、同様の効果を得ることができる。
【００８４】
［特許請求の範囲との対応］
上記実施形態の説明で用いた用語と、特許請求の範囲の記載に用いた用語との対応を示す。
【００８５】
ＭＦＰ１０が画像読取装置に、ＰＣ２０が情報処理装置に、プッシュスキャンアプリケーションがプログラムに相当する。また、ＰＣ２０が備える制御部２１が判定手段、及び制御手段にそれぞれ相当し、ネットワークＩ／Ｆ２５及びＵＳＢ  Ｉ／Ｆ２７が取得手段に、記憶部２６が記憶手段に、ディスプレイ２２が表示手段に相当する。
【００８６】
また、プッシュスキャン実行時にＰＣにて行われる処理におけるＳ３１０が第一の判定手順に、Ｓ３２０が第一の禁止手順に相当する。また、Ｓ４１５，Ｓ４５５が表示手順に相当する。また、Ｓ３４５またはＳ４５０にて開始されるスキャン画像データの受信処理が取得手順に相当し、Ｓ４２５，Ｓ４３０が第二の判定手順にそれぞれ相当し、Ｓ４３５が禁止解除手順に相当し、Ｓ３２０が第二の禁止手順に相当する。また、Ｓ１１０、Ｓ２１０におけるロック指令が禁止指示に相当し、Ｓ１１０、Ｓ２１０におけるロック指令を受信する処理が、受付手順に相当する。
【００８７】
また、スキャン画像の表示のロック後、所定の時間が経過するという条件や、所定のパスワードの入力を受け付けるという条件が、所定の条件に相当する。また、ＯＳをログオフ状態とすることによりスキャン画像の表示をロックした場合であれば、プッシュスキャン開始時にログオンしていたユーザが再度ログオンするという条件が、所定の条件に相当する。
【図面の簡単な説明】
【００８８】
【図１】画像読取システムの構成を示すブロック図である。
【図２】ＭＦＰ及びＰＣの構成を示すブロック図である。
【図３】プッシュスキャンを実行し、ユーザ操作によりスキャン画像の表示禁止を解除する場合におけるＭＦＰとＰＣとの間のシーケンス図である。
【図４】プッシュスキャンを実行し、タイムアウトによりスキャン画像の表示禁止を解除する場合におけるＭＦＰとＰＣとの間のシーケンス図である。
【図５】プッシュスキャン実行時におけるＰＣの処理を示すフローチャートである。
【図６】プッシュスキャン実行時におけるＰＣの処理を示すフローチャートである。
【図７】プッシュスキャン実行時におけるＭＦＰの処理を示すフローチャートである。
【符号の説明】
【００８９】
１…画像読取システム、１０…ＭＦＰ、１１…制御部、１２…液晶表示パネル、１３…入力部、１４…スキャンエンジン、１５…ＵＳＢ  Ｉ／Ｆ、１６…記憶部、１７…ネットワークＩ／Ｆ、１８…印刷エンジン、２０…ＰＣ、２０ａ…ＰＣ、２０ｂ…ＰＣ、２０ｃ…ＰＣ、２１…制御部、２２…ディスプレイ、２３…キーボード、２４…マウス、２５…ネットワークＩ／Ｆ、２６…記憶部、２７…ＵＳＢ  Ｉ／Ｆ、３０…ＬＡＮ、４０…ＵＳＢ。
【図１】
2010081379.tif 000003
【図２】
2010081379.tif 000004
【図５】
2010081379.tif 000005
【図６】
2010081379.tif 000006
【図７】
2010081379.tif 000007
【図３】
2010081379.tif 000008
【図４】
2010081379.tif 000009